(57)【要約】【課題】装着時の快適性を高めたマスクを提供する。【解決手段】上下方向に展開可能なプリーツ１４が形成されたマスク本体１０と、マスク本体１０の上下方向中央部に、当該マスク本体１０の幅方向に沿って設けられ、プリーツ１４を上下方向に展開した際に、使用者の口の前方に位置するマウスワイヤ１１と、マスク本体１０のマウスワイヤ１１よりも上側に、当該マスク本体１０の幅方向に沿って設けられ、前記展開の際に、使用者の口と鼻の下端部との間の前方に位置する上部ワイヤ１２と、マスク本体１０のマウスワイヤ１１よりも下側に、当該マスク本体１０の幅方向に沿って設けられ、前記展開の際に、使用者の口と顎との間の前方に位置する下部ワイヤ１３と、を備えたマスクを構成する。【選択図】図１
2018095981.tif 000002
【特許請求の範囲】
【請求項１】
上下方向に展開可能なプリーツ（１４）が形成されたマスク本体（１０）と、
前記マスク本体（１０）の上下方向中央部に、当該マスク本体（１０）の幅方向に沿って設けられ、前記プリーツ（１４）を上下方向に展開した際に、使用者の口の前方に位置するマウスワイヤ（１１）と、
前記マスク本体（１０）の前記マウスワイヤ（１１）よりも上側に、当該マスク本体（１０）の幅方向に沿って設けられ、前記展開の際に、使用者の口と鼻の下端部との間の前方に位置する上部ワイヤ（１２）と、
前記マスク本体（１０）の前記マウスワイヤ（１１）よりも下側に、当該マスク本体（１０）の幅方向に沿って設けられ、前記展開の際に、使用者の口と顎との間の前方に位置する下部ワイヤ（１３）と、
を備えたマスク。
【請求項２】
前記プリーツ（１４）が、
前記マスク本体（１０）の最前面側に配置される第一プリーツ片（１４ａ）と、
前記第一プリーツ片（１４ａ）の上側に、折り込み片（１５ａ）を介して、当該第一プリーツ片（１４ａ）よりも後方側に連設される第二プリーツ片（１４ｂ）と、
前記第一プリーツ片（１４ａ）の下側に、折り込み片（１５ｂ）を介して、当該第一プリーツ片（１４ａ）よりも後方側に連設される第三プリーツ片（１４ｃ）と、
を有し、
前記マウスワイヤ（１１）が前記第一プリーツ片（１４ａ）に、前記上部ワイヤ（１２）が前記第二プリーツ片（１４ｂ）に、前記下部ワイヤ（１３）が前記第三プリーツ片（１４ｃ）に、それぞれ設けられている請求項１に記載のマスク。
【発明の詳細な説明】
【技術分野】
【０００１】
この発明は、マスクに関する。
【背景技術】
【０００２】
マスクには、風邪を引いたときの感染防止用、屋外における埃や冬季の乾燥した冷気の吸込み防止用、顔面の保湿用などの幅広い用途がある。このマスクは、マスク本体の左右両端部に設けられた固定紐を使用者の耳に掛けることによって、この使用者の口と鼻を覆うように装着される。この装着時に、使用者の口とマスクの内面が接触すると、マスクを付けた状態での会話に支障が生じたり、使用者が息苦しさを感じたりする原因となる問題が生じる。
【０００３】
この問題を解決すべく、例えば、特許文献１、２に示すマスクは、その装着時に使用者の顔面前方に位置する上下一対のワイヤを設けた構成を採用している。このように、一対のワイヤを設けることにより、使用者の口とマスクの内面との間に空間が形成され、マスクの内面に使用者の口が接触するのを防止することができる。
【先行技術文献】
【特許文献】
【０００４】
【特許文献１】特許第３１８７０３７号公報
【特許文献２】特開２０１６−５９７８０号公報
【発明の概要】
【発明が解決しようとする課題】
【０００５】
特許文献１、２に記載のマスクの使用態様の一例を図６に示す。このマスクは、マスク本体１００に、当該マスク本体１００の幅方向に沿うように、上下一対のワイヤ１０１、１０２が並んで設けられている。上側のワイヤ１０１は、使用者の口と鼻の下端部との間の前方に、下側のワイヤ１０２は、使用者の口と顎との間の前方にそれぞれ位置する。このマスクを装着した状態で使用者が呼吸すると、上下のワイヤ１０１、１０２の間のマスク本体１００が、その呼吸に伴って前後に動き（図６中の矢印参照）、使用者が不快感を覚えたり息苦しさを感じたりすることがある。この不快感や息苦しさを解消するために、使用者がマスクを正規の装着位置からずらして、意図的にマスクと鼻との間に隙間を設けることがあり、本来のマスクの機能（フィルタ性能など）を発揮できないことがあった。
【０００６】
そこで、この発明は、マスク装着時の快適性を高めることを課題とする。
【課題を解決するための手段】
【０００７】
上記の課題を解決するため、この発明は、上下方向に展開可能なプリーツが形成されたマスク本体と、前記マスク本体の上下方向中央部に、当該マスク本体の幅方向に沿って設けられ、前記プリーツを上下方向に展開した際に、使用者の口の前方に位置するマウスワイヤと、前記マスク本体の前記マウスワイヤよりも上側に、当該マスク本体の幅方向に沿って設けられ、前記展開の際に、使用者の口と鼻の下端部との間の前方に位置する上部ワイヤと、前記マスク本体の前記マウスワイヤよりも下側に、当該マスク本体の幅方向に沿って設けられ、前記展開の際に、使用者の口と顎との間の前方に位置する下部ワイヤと、を備えたマスクを構成した。
【０００８】
このようにマスクを構成することにより、上部ワイヤと下部ワイヤの間に設けたマウスワイヤによって、マスク本体（特に、上部ワイヤと下部ワイヤの中間部分）の剛性が確保され、使用者の呼吸に伴って、マスク本体が前後に動くのを防止することができる。このマスク本体の前後への動きを抑制することによって、不快感や息苦しさを解消して、マスク装着時の快適性を高めることができる。
【０００９】
前記構成においては、前記プリーツが、前記マスク本体の最前面側に配置される第一プリーツ片と、前記第一プリーツ片の上側に、折り込み片を介して、当該第一プリーツ片よりも後方側に連設される第二プリーツ片と、前記第一プリーツ片の下側に、折り込み片を介して、当該第一プリーツ片よりも後方側に連設される第三プリーツ片と、を有し、前記マウスワイヤが前記第一プリーツ片に、前記上部ワイヤが前記第二プリーツ片に、前記下部ワイヤが前記第三プリーツ片に、それぞれ設けられている構成とするのが好ましい。
【００１０】
このようにすると、プリーツの展開時においても、第一プリーツ片が、第二プリーツ片および第三プリーツ片よりも前方に位置した状態を、マウスワイヤ、上部ワイヤ、および、下部ワイヤによって確実に維持することができ、使用者の口元に、より大きな空間が確保される。このため、マスク装着時の快適性を一層向上することができる。
【発明の効果】
【００１１】
この発明は、マスク本体に、マウスワイヤ、上部ワイヤ、および、下部ワイヤの３本のワイヤを設けることにより、マスクの装着時に、使用者の呼吸によってマスク本体が前後に動くのを防止した。これにより、マスク装着時の快適性を高めることができる。
【図面の簡単な説明】
【００１２】
【図１】この発明に係るマスクの一実施形態を示す正面図
【図２】図１に示すマスクの背面図
【図３】図１中のＩＩＩ−ＩＩＩ線に沿う断面図
【図４】図１に示したマスクの装着状態を示す側面図
【図５】図１に示したマスクの他例を示す断面図
【図６】従来技術に係るマスクの装着状態を示す側面図
【発明を実施するための形態】
【００１３】
この発明に係るマスクの一実施形態を図１から図４に示す。図１は正面図、図２は背面図、図３は断面図、図４はマスクの装着状態を示す側面図である。このマスクには、主に使い捨て用として、風邪を引いたときの感染防止用、屋外における埃や冬季の乾燥した冷気の吸込み防止用、顔面の保湿用などの幅広い用途がある。このマスクは、マスク本体１０、マウスワイヤ１１、上部ワイヤ１２、および、下部ワイヤ１３を主要な構成要素としている。
【００１４】
マスク本体１０は、マスクの未使用状態（図１、図２参照）において正面視において横長の長方形状をしており、埃や花粉などの微粒子やウィルスの通過を阻止する、フィルタ性を有する素材で構成されている。各ワイヤ１１、１２、１３は、マスク本体１０の素材中に織り込まれた状態となっている。このマスク本体１０には、上下方向に展開可能にプリーツ１４が形成されている。このプリーツ１４を展開すると、マスク本体１０によって、使用者の鼻から顎までの範囲が広く覆われる（図４参照）。
【００１５】
プリーツ１４は、マスク本体１０の最前面側に配置される第一プリーツ片１４ａと、第一プリーツ片１４ａの上側に、折り込み片１５ａを介して、第一プリーツ片１４ａよりも後方側に連設される第二プリーツ片１４ｂと、第一プリーツ片１４ａの下側に、折り込み片１５ｂを介して、第一プリーツ片１４ａよりも後方側に連設される第三プリーツ片１４ｃとを有する（図３参照）。このプリーツ片１４ａ、１４ｂ、１４ｃの数は特に限定されることはなく、さらに多段のプリーツ片を形成することもできる。
【００１６】
マスク本体１０の上端部には、当該マスク本体１０の幅方向に沿って、ノーズワイヤ１６が設けられている。このノーズワイヤ１６を使用者の鼻に押し当てて、その鼻の形状に合うように変形させることによって、マスクが使用者の顔面からずり落ちるのを防止することができる。また、マスク本体１０の左右端部には、使用者の耳に掛ける固定紐１７がそれぞれ設けられている。この固定紐１７は、ゴム材から構成される。
【００１７】
マウスワイヤ１１は、マスク本体１０の上下方向中央部に、このマスク本体１０の幅方向に沿って設けられている。プリーツ１４を上下方向に展開して装着すると、マウスワイヤ１１は、使用者の口のちょうど前方に位置する。このマウスワイヤ１１は、第一プリーツ片１４ａに設けられている。
【００１８】
上部ワイヤ１２は、マスク本体１０に設けられたマウスワイヤ１１よりも上側の位置に、このマスク本体１０の幅方向に沿って設けられている。プリーツ１４を上下方向に展開して装着すると、上部ワイヤ１２は、使用者の口と鼻の下端部との間の前方に位置する。この上部ワイヤ１２は、第二プリーツ片１４ｂに設けられている。
【００１９】
下部ワイヤ１３は、マスク本体１０に設けられたマウスワイヤ１１よりも下側の位置に、このマスク本体１０の幅方向に沿って設けられている。プリーツ１４を上下方向に展開して装着すると、下部ワイヤ１３は、使用者の口と顎との間の前方に位置する。この下部ワイヤ１３は、第三プリーツ片１４ｃに設けられている。
【００２０】
マスク本体１０のプリーツ１４を上下方向に展開してマスクを装着すると、使用者の口とマスクの内面との間に空間が形成され、マスクの内面に使用者の口が接触するのを防止することができる。しかも、使用者の口の前方にマウスワイヤ１１が配置され、マスク本体１０の剛性が確保されることから、使用者の呼吸に伴ってマスク本体１０が前後に動くことがない。このため、使用者が不快感を覚えたり息苦しさを感じたりすることがない。
【００２１】
しかも、マウスワイヤ１１をマスク本体１０の最前面側に配置される第一プリーツ片１４ａに、上部ワイヤ１２および下部ワイヤ１３を第一プリーツ片１４ａよりも後方側に連設される第二プリーツ片１４ｂおよび第三プリーツ片１４ｃにそれぞれ設けたことにより、マスク本体１０のプリーツ１４の展開時においても、上部ワイヤ１２および下部ワイヤ１３に対して、マウスワイヤ１１が若干前方に突出した状態となる（図４参照）。このため、使用者の口元により大きな空間が確保され、マスク装着時の快適性を一層向上することができる。
【００２２】
図１などに示したマスクの他例を図５に示す。このマスクにおいては、第一プリーツ片１４ａと、第二プリーツ片１４ｂまたは第三プリーツ片１４ｃを連設する折り込み片１５ａ、１５ｂを蛇腹状に形成している。折り込み片１５ａ、１５ｂをこのように構成することによって、プリーツ１４の展開を一層スムーズに行うことができる。
【００２３】
上記の実施形態は、あくまでもこの発明に係るマスクの例示に過ぎず、マスク装着時の快適性を高める、というこの発明の課題を解決し得る限りにおいて、マウスワイヤ１１、上部ワイヤ１２、下部ワイヤ１３の上下位置や、プリーツ１４の形状を適宜変更することができる。
【符号の説明】
【００２４】
１０  マスク本体
１１  マウスワイヤ
１２  上部ワイヤ
１３  下部ワイヤ
１４  プリーツ
１４ａ  第一プリーツ片
１４ｂ  第二プリーツ片
１４ｃ  第三プリーツ片
１５ａ、１５ｂ  折り込み片
１６  ノーズワイヤ
１７  固定紐
【図１】
2018095981.tif 000003
【図２】
2018095981.tif 000004
【図３】
2018095981.tif 000005
【図４】
2018095981.tif 000006
【図５】
2018095981.tif 000007
【図６】
2018095981.tif 000008